(57)【要約】  本発明は体液の貯留に用いる吸収体コンポーネント（１２）を備える衛生用品であって、このコンポーネントは高吸収性材料を含むことができる。この衛生用品の場合、吸収体コンポーネント（１２）は、この吸収体コンポーネント（１２）の吸収性材料の面積当たり重量が、衛生用品の横方向（１６）に側縁に向かって増加する第１の領域（１８、２０）を備える。またこの衛生用品の場合、長手方向（１４）に吸収体コンポーネント（１２）の長さの２０〜１００％にわたって延びる部分（４４）の貯留容量が、長手方向（１４）に見てほぼ一定である。
2007531572.tif 000002
【特許請求の範囲】
【請求項１】
使い捨て衛生用品において、すなわち体液の貯留に用いる吸収体コンポーネント（１２）を備え、前記コンポーネントは高吸収性材料を含むとともに、前記衛生用品において、吸収体コンポーネント（１２）は、吸収体コンポーネント（１２）の吸収性材料の面積当たり重量が、衛生用品の横方向（１６）に側縁に向かって増加する第１の領域（１８、２０）を備え、またこの場合、長手方向（１４）に吸収体コンポーネント（１２）の長さの２０〜１００％にわたって延びる部分（４４）の貯留容量が、長手方向（１４）に見てほぼ一定である、衛生用品。
【請求項２】
貯留容量が一定である部分（４４）が、吸収体コンポーネント（１２）の長さの３０〜９０％、とくには４０〜７０％、さらにとくには４５〜６０％にわたって延びることを特徴とする、請求項１に記載の衛生用品。
【請求項３】
吸収体コンポーネント（１２）はさらに、吸収体コンポーネント（１２）の吸収性材料の面積当たり重量が、衛生用品の背当て領域（２２）および／または前当て領域（２４）から股ぐり領域（２６）に向かって増加する第２の領域（３２）を備えることを特徴とする、請求項１または２に記載の衛生用品。
【請求項４】
吸収体コンポーネント（１２）の吸収性材料の面積当たり重量が増加する第１の領域（１８、２０）は、その面積当たり重量の横方向（１６）の増加が３０〜２００％、とくには３０〜１５０％、さらにとくには５０〜１２０％であることを特徴とする、請求項１乃至３のいずれか１に記載の衛生用品。
【請求項５】
吸収体コンポーネント（１２）の吸収性材料の面積当たり重量が増加する第２の領域（３２）は、その面積当たり重量の長手方向（１４）の増加が５０〜５００％、とくには５０〜４００％、さらにとくには１００から３５０％であることを特徴とする、請求項１乃至４のいずれか１に記載の衛生用品。
【請求項６】
面積当たり重量が増加する第２の領域（３２）の面積あたり重量最大値は、面積当たり重量が増加する第１の領域（１８、２０）の面積あたり重量最大値よりも大きいことを特徴とする、請求項１乃至５のいずれか１に記載の衛生用品。
【請求項７】
面積当たり重量が増加する第１の領域は、衛生用品の股ぐり領域の中心から間隔を有することを特徴とする、請求項１乃至６のいずれか１に記載の衛生用品。
【請求項８】
第１の領域を２つ（１８、２０）、衛生法品の股ぐり領域の中心から間隔を取って設けることを特徴とする、請求項７に記載の衛生用品。
【請求項９】
第１の領域（１８、２０）、または第１の領域（１８、２０）の面積あたり重量最大値を有する領域が、衛生用品の長手方向の左右に、吸収体コンポーネント（１２）の長さの少なくとも１５％にわたって延びることを特徴とする、請求項１乃至８のいずれか１に記載の衛生用品。
【請求項１０】
第１の領域（１８、２０）、または第１の領域（１８、２０）の面積あたり重量最大値を有する領域が、長手方向に左右において、衛生用品の側縁領域にそって延びることを特徴とする、請求項９に記載の衛生用品。
【請求項１１】
面積当たり重量が横方向（１６）に増加する第１の領域（１８、２０）と、面積当たり重量が長手方向（１４）に増加する第２の領域（３２）とが、相互に直接隣接し、あるいは相互にオーバラップして配置されていることを特徴とする、請求項１乃至１０のいずれか１に記載の衛生用品。
【請求項１２】
吸収体コンポーネント（１２）の幅が、衛生用品の背当て領域（２２）および／または前当て領域（２４）から股ぐり領域（２８）に向かって減少することを特徴とする、請求項１乃至１１のいずれか１に記載の衛生用品。
【請求項１３】
吸収体コンポーネント（１２）が、ほぼ同一の厚さにプレスされていることを特徴とする、請求項１乃至１２のいずれか１に記載の衛生用品。
【請求項１４】
面積当たり重量が増加する領域が、厚さが増加する領域をも形成することを特徴とする、請求項１乃至１３のいずれか１に記載の衛生用品。
【請求項１５】
吸収体コンポーネントが少なくとも２つの吸収体層を備えることを特徴とする、請求項１乃至１４のいずれか１に記載の衛生用品。
【請求項１６】
吸収体層の１つは面積当たり重量がほぼ均一であることを特徴とする、請求項１５に記載の衛生用品。
【請求項１７】
吸収体コンポーネントが、架橋されたパルプ繊維を含む吸収体層（４０）を備えることを特徴とする、請求項１乃至１６のいずれか１に記載の衛生用品。
【請求項１８】
衛生用品が折り返しエレメント（５８）を備え、折り返しエレメントは、衛生用品の左右に漏れバリヤを形成し、ほぼ長手方向（１４）に延び、少なくとも領域ごとに立ち上げられ、少なくとも折り返し土台線（６２）にそって、衛生用品の人体側に固定されていることを特徴とする、請求項１乃至１７のいずれか１に記載の衛生用品。
【請求項１９】
折り返しエレメント（５８）が配置される折り返し土台線（６２）相互の間隔が変化することを特徴とする、請求項１８に記載の衛生用品。
【請求項２０】
面積当たり重量が増加する第１の領域（１８、２０）の少なくとも１つは、部分領域を備え、前記部分領域では折り返し土台線（６２）相互の間隔（６６）が、前記部分領域以外の領域におけるよりも大きいことを特徴とする、請求項１８または１９に記載の衛生用品。
【請求項２１】
上記の部分領域が、衛生用品の中央の長手部分以外で、かつ衛生用品の股ぐり領域（２６）の中心から間隔を取って配置されることを特徴とする、請求項２０に記載の衛生用品。
【請求項２２】
折り返し土台線（６２）相互の間隔（６６）が、１つの最大値を長手方向（１４）に有するように、折り返しエレメント（５８）を配置することを特徴とする、請求項１８乃至２１のいずれか１に記載の衛生用品。
【請求項２３】
上記の最大値は、面積当たり重量が増加する第１の領域（１８、２０）の前記部分領域に完全に入っていることを特徴とする、請求項２２に記載の衛生用品。
【請求項２４】
折り返し土台線（６２）相互の間隔（６６）の１つまたは複数の最大値が、衛生用品の前当て領域（２４）および／または背当て領域（２２）に配置されていることを特徴とする、請求項２２または２３に記載の衛生用品。
【請求項２５】
吸収体コンポーネント（１２）が、繊維と微粒子状高吸収性材料との混合物を含むことを特徴とする、請求項１乃至２４のいずれか１に記載の衛生用品。
【発明の詳細な説明】
【技術分野】
【０００１】
本発明は、体液を貯留するために用いられる吸収体コンポーネント、かつ高吸収性材料をも含むことができる同コンポーネントを備える、使い捨て衛生用品に関する。
【背景技術】
【０００２】
ある１つの領域で、横方向に側縁に向かって、高吸収性材料の面積当たり重量が増加する衛生用品は、本出願者の未開示の特許出願書ＤＥ１０３２６０２２．６に記載されている。
【０００３】
冒頭に挙げた種類の衛生用品、とくに乳児用オムツ、失禁用のオムツ、パンツ型オムツ、吸収性のライナー、月経帯およびパンティライナーの場合、股ぐり領域には次のような点で問題が生じている。すなわちこの領域では、一方では十分な吸収容量を得たいが、他方ではユーザーの両脚の間に得られるスペースが限られている、という点である。股ぐり領域に設けられる吸収体材料の体積が大きすぎると、不愉快な装着感の原因となり、ねじれや盛り上がりを生じて、衛生用品の機能が損なわれることになる。したがって、高吸収性の微粒子状の材料、すなわち乾燥状態の当初体積は非常に小さいが、貯留能力は大きくて長時間継続するこの材料を、股ぐり領域で最大量用いることが、すでに提案されている。この方法はすでに知られており、したがってこれ以上説明の必要はない。上記のＤＥ１０３２６０２２．６は、吸収容量を股ぐり領域から前当ておよび背当てに移動させることを、すでに提唱している。
【発明の開示】
【発明が解決しようとする課題】
【０００４】
本発明の課題は、吸収容量が最適に配分されているが、ユーザーには快適な装着感をあたえる衛生用品を得ることである。
【課題を解決するための手段】
【０００５】
この課題は、次のような使い捨て衛生用品によって解決される。この衛生用品の場合、吸収体コンポーネントは次のような領域、すなわち衛生用品の横方向に側縁に向かって、この吸収体コンポーネントの吸収性材料の面積当たり重量が増加する、第１の領域を持つ。その際、吸収体コンポーネントの長さの２０〜１００％にわたって長手方向に延びる部分の貯留容量は、長手方向に見るとほぼ一定である。
【０００６】
本発明は次のことを提案する。すなわち吸収体コンポーネントは、少なくとも第１の領域において、横方向に面積当たり重量が増加し、したがって吸収性材料の貯留容量が増加するものとする。さらには、吸収体コンポーネントは、股ぐり領域にくびれを設けることがあっても（砂時計形）、少なくともある程度の部分の長さにわたって、長手方向に見ると貯留容量をほぼ一定とすることを提案する。すなわち本発明の場合、衛生用品の長手方向においては貯留容量がむしろ均一であるが、吸収体コンポーネントにくびれがあって、快適な装着感をともなう。このことはさらに衛生用品の使用特性に、全体としてよい影響をあたえる。なぜならばこの衛生用品とその吸収体コンポーネントは、それほど強く変形されたり、圧迫されたりしないからである。
【０００７】
上記では吸収体コンポーネントが主題であったが、この主題には、本題である衛生用品全体の吸収体、あるいは多層吸収体の１つの層、あるいはこの吸収体の三次元的構成部分が含まれる場合がある。上記では貯留容量が主題であったが、これは吸収体材料に液体を長時間貯留する能力と理解される。すなわち、下記に詳細に議論するように、遠心分離機における保持能力によって決定され、定義される能力である。
【０００８】
上記で言及された部分の長さ、すなわち着目された吸収体コンポーネントの長さの２０〜１００％にあたるこの長さは、衛生用品、または吸収体ないし吸収体コンポーネントの長手方向を切断した諸部分の貯留容量を比較することにより決定される。この場合、吸収体または吸収体コンポーネントは、平らな基礎材の上に敷き詰められた状態で、長手方向の延長にそった長手切断部分に区分される。その長さはとくには５〜４０ｍｍ、合目的には長さ約２０ｍｍの長手切断部分である。そうすれば経験的に、そして／または計算により、吸収体または吸収体コンポーネントの各長手切断部分の貯留能力を決定し、貯留能力相互を比較することができる。
【０００９】
貯留容量を測定するには、遠心分離テストを利用する。このテストでは、吸収性材料の液体保持量を、規定の加速度である２７６ｇ（ｇ＝９．８１ｍ／ｓｅｃ2）で、遠心分離時間４分後に求める。この遠心分離テストを利用して、それ自体任意の吸収構造の、または吸収構造の構成部分の、貯留容量を求めることができる。この吸収構造とは特定種類の繊維、たとえば毛羽立てされたパルプ繊維、または内部架橋されたパルプ繊維、または高吸収性材料である。このためには精密秤を使用して、サンプルの当初重量を１０分の１グラム単位で求める。サンプルはその後、９９．５％ＮａＣｌ溶液（着色または変性されていないもの。脱塩水を用いる）に２０分間浸漬される。
【００１０】
その後サンプルを遠心分離機のドラム壁に対向して置く（液体不透過性の材料（たとえばバックシート）がある場合、この材料を半径方向内側に向け、液体流出を妨げないようにする）。次にサンプルに４分間、２７６ｇの遠心分離プロセスを加える。その後サンプルをあらためて秤量する。液体保持量と貯留容量は、遠心分離テスト後の測定重量（Ｍnass）と、遠心分離テスト前の測定重量（Ｍtrocken）の差として、グラム単位で求めることができる。
【００１１】
液体保持量＝Ｍnass−Ｍtrocken （単位はｇ）
【００１２】
結果は、質量の比として（単位ｇ／ｇ）下記のように表示することもできる。
【００１３】
Ｍnass−Ｍtrocken
液体保持量（相対的）＝ 
Ｍtrocken
【００１４】
結果は端数処理して整数とし、ｇないしｇ／ｇを単位として表示する。試験の回数はそれぞれ少なくとも６回とし、その際平均値ｘ、平均値の最小値および最大値ｘminおよびｘmax、ならびに好ましくは標準偏差Ｓを記述したい。
【００１５】
吸収体で使用される吸収性材料に対して、貯留容量を上記のような方法で測定すれば、とくに有利である。この場合、面積当たり重量の観察により、すなわち吸収体領域において、それぞれの吸収性材料の面積当たり重量を考慮し、あるいはそれに基づいて、この吸収体領域の貯留容量を特定することができる。この方法により、吸収体または吸収体コンポーネントの貯留容量の任意のプロフィールを、任意の領域または方向にそって記述することができる。
【００１６】
本発明によるさらなる態様として提案されるのは、貯留容量が一定な部分が、着目された吸収体コンポーネントの長さの３０〜９０％にわたって、とくには４０〜７０％にわたって、さらにとくには４５〜６０％にわたって、長手方向に延びるものである。この部分は、衛生用品の主として股ぐり領域に、すなわちユーザーの両脚の間に位置すれば、有利である。
【００１７】
またとくに有利なのは、吸収体コンポーネントが、次のような領域、すなわち第２の領域を備える場合である。この第２の領域では、この吸収体コンポーネントの吸収性材料の面積当たり重量が、衛生用品の背当ておよび／または前当て領域から、股ぐり領域に向かって増加する。これにより、吸収体がくびれた形の場合、互いに隣接する長手切断部分を観察すると、くびれた箇所では利用できる面積は小さくなるという事情に、対処することができる。このような事情は、面積当たり重量が等しいままであれば、くびれた領域では（切断部分ごとに順次）貯留容量の減少につながることになるはずである。とくにくびれた形状の股ぐり領域に向かって、第２の領域では、吸収体コンポーネントの吸収性材料の面積当たり重量が増加することにより、貯留容量を長手方向においてほぼ一定に維持することができる。衛生用品または吸収体の互いに隣接する長手切断部分（長さ１０ｍｍ）相互に、その吸収体コンポーネント貯留容量を比較する場合、±１５％までの偏差は、特許請求の範囲のいう意味ではほぼ一定とみなされる。好ましくはこの偏差を１０％以下とする。
【００１８】
本発明のさらなる態様として、吸収体コンポーネントの吸収性材料の面積当たり重量が増加する第１の領域は、その横方向の面積当たり重量増加を３０〜２００％、とくには３０〜１５０％、さらにとくには５０〜１２０％とする。
【００１９】
吸収体コンポーネントの吸収性材料の面積当たり重量が増加する第２の領域は、その長手方向の面積当たり重量増加を５０〜５００％、とくには５０〜４００％、さらにとくには１００〜３５０％とする。
【００２０】
そのほか有利な方法として、面積当たり重量が増加する第２の領域の面積当たり最大重量を、面積当たり重量が増加する第１の領域の面積当たり最大重量よりも、大きいものとする。これにより、本発明にいうくびれが強い場合にも、対処することができる。
【００２１】
横方向に面積当たり重量が増加する第１の領域は、かならずしも衛生用品の股ぐり領域に設ける必要はない。股ぐり領域では、吸収体または吸収体コンポーネントのくびれた形がしばしば用いられ、また望ましいことを考えると、次のようにすれば有利である。すなわち面積当たり重量が増加するこの第１の領域は、衛生用品の股ぐり領域の中心から間隔を取るものとする。この第１の領域は、とくに股ぐり領域の外で、衛生用品の前当て領域および／または背当て領域に設けることができる。
【００２２】
通常股ぐり領域は、衛生用品の領域としては、使用中、ユーザーの両脚の間に置かれる領域とみなされる。衛生用品の股ぐり領域の中心は、次のようにして決定することができる。すなわち、ユーザーが直立しているとき、または乳児が平らな敷物の上に横たわっているとき、弾性のある糸またはゴムバンドを両脚の回りに８の字形にまわし、糸またはバンドの交点が両脚の間に来るようにする。衛星用品が規定通りに装着されるならば、この交点が衛生用品の股ぐり領域の中心と定義される。衛生用品の股ぐり領域と、前当てないし背当てとの境界がどこにあるかは、当然のことであるが正確には定義が難しい。しかし定量的に境界付けする場合、股ぐり領域は衛生用品の次のような領域と定義される。すなわち股ぐり領域の中心を出発点として、衛星用品前当ての吸収体全長の２５％まで、そして背当ての吸収体全長の２５％まで位置し、そこでそれぞれ前当て領域ないし背当て領域に移行する、そのような領域である。
【００２３】
最後に挙げた本発明の態様として、次のような方法が有利である。すなわち、横方向に面積当たり重量が増加する第１の領域を２つ設け、この第１の領域は、衛生用品の股ぐり領域の中心から間隔を取り、とくに衛生用品の前当て領域ないし背当て領域にあるものとする。
【００２４】
やはり有利な方法として、第１の領域、または第１の領域の面積当たり重量が最高となる線が、衛生用品の左右両側で、吸収体コンポーネントの長さの少なくとも１５％にわたって、長手方向に延びるものとする。吸収体または吸収体コンポーネントを上から見ると、このような場合左右両側で、線条形の第１の領域が長手方向に延びている。この線条形の領域は、さらに好ましくは、衛生用品の側縁領域にそって延びるものとする。したがってこの線条形領域は、ある程度の側部斜面、または漏れ防止斜面を形成する。
【００２５】
とくに有利な方法として、横方向に面積当たり重量が増加する第１の領域と、長手方向に面積当たり重量が増加する第２の領域とが、互いに直接境界を接して、または互いにオーバラップして、設けられるものとする。これが実際に行われるのは、吸収体トポグラフィーを利用して、着目された各領域がほぼ互いにつながっている場合である。
【００２６】
すでに指摘したことではあるが、吸収体コンポーネントの幅が、衛生用品の背当ておよび／または前当て領域から股ぐり領域に向かって減少するならば、本発明はとくに有利である。ただしこの場合、着目された吸収体コンポーネント、およびとくに吸収体全体が、くびれた形、または砂時計形、または単なるＴ字形であるとする。
【００２７】
本発明が求める吸収体コンポーネントの吸収性材料の増加は、とくに簡単な方法として、当該材料を集積することにより実現できる。このため対応する成形具を雌型として用いることができる。この雌型は、吸収体ないし吸収体コンポーネントを製造する際、面積当たり重量の増加に対応する吸収体トポグラフィーを生じる。有利な方法として、まずこのような吸収体トポグラフィーを、ほぼ均一な密度をもって形成しておき、このトポグラフィー形成に続いて、吸収体または着目された吸収体コンポーネントを、ほぼ均一な厚さにプレスする。こうして、面積当たり重量が増加する領域が、密度を増加する領域を形成すれば、有利である。
【００２８】
本発明による吸収体コンポーネントは、吸収体層を少なくとも２つ備えることができる。その際これら吸収体層の１つは、面積当たり重量がほぼ均一なものとする。すなわち面積当たり重量が、長手方向にも横方向にも一定かつ均一なものとする。この層は、とくにはベースマット、または人体側における液体配分層とすることができる。
【００２９】
そのほか有利な方法として、吸収体コンポーネントは、架橋されたパルプ繊維を含む吸収体層を備えるものとする。架橋されたパルプ繊維は、とくに排泄物でぬれた状態のとき、体積弾性があることがわかっている。この繊維は、液体を迅速に吸収するのに必要な大気孔容積を維持し、“ｗｅｔ  ｃｏｌｌａｐｓｅ”を生じにくい。したがってこの繊維は、人体側に配置される液体吸収層および液体配分層として、衛生用品の吸収構造に好んで用いられる。
【００３０】
本発明のさらなる態様として、衛生用品が折り返しエレメントを備え、この折り返しエレメントは、左右の漏れバリヤを形成し、ほぼ長手方向に延び、少なくとも領域ごとに立ち上がり、少なくとも折り返し土台線にそって衛生用品の人体側に固定されているものとする。“折り返しエレメント”とは、それ自体知られているバリヤエレメント、または左右漏れ防止エレメントである。このエレメントは弾性コンポーネントを備え、このコンポーネントによって、使用状態の折り返しエレメントが立ち上がり、ユーザーの皮膚表面に密着する。
【００３１】
そのほか有利な方法として、この折り返しエレメントは、折り返し土台線相互の間隔を変えながら、延びるものとする。本発明の考えのさらなる態様として、面積当たり重量が（横方向に）増加する第１の領域は、次のような部分領域、すなわちこの部分領域では折り返し土台線相互の間隔が、この部分領域外におけるよりも大きい、このような部分領域を少なくとも１つ備えるものとする。
【００３２】
本発明によって、次のことが確認されているからである。すなわち折り返しエレメントは、その折り返し土台線相互の間隔を変えながら配置されることが可能であり、その結果折り返しエレメントは、たとえば前当て領域または背当て領域において、つまり通常は衛生用品の股ぐり領域外で、依然として相互に間隔を取ることになり、このことから液体吸収に利用できる表面が拡大することになる。
【００３３】
大量の液体の作用があって、その液体が衛生用品の表面に、つまり立ち上がっている折り返しエレメントの間に配分されるとき、吸収側の表面はできるだけ大きいのが、迅速な液体吸収には有利である。しかしこれは次のことを意味する。すなわち、折り返しエレメントと、その形成する人体排泄物吸収のためのポケットとは、吸収体周縁近くに達するが、周縁では利用できる吸収容量が不十分であるかもしれず、あるいは吸収体周縁との相互作用があるため、諸要件を満足するような密閉または吸収容量が得られないかもしれない、ということを意味する。
【００３４】
それに加えて、衛生用品材料に折り返しエレメントを固定すると、利用できる吸収容量がそこにない場合、毛管現象によって液体が衛生用品周縁に運ばれる危険を助長するが、これは望ましくないことである。本発明の認識によれば、吸収体コンポーネントの吸収性材料の面積当たり重量増加によって、使用中の衛生用品の液体吸収特性に、改善が得られ、トラブルを起こしにくくなるが、これはまさに折り返し土台線相互の間隔が、ほかの箇所より大きい箇所で実現される。
【００３５】
上記で言及された部分領域は、好ましくは衛生用品の中央の長手切断部分以外で、かつ股ぐり領域の中心から間隔を取って配置されるものとする。したがってこの部分領域は、股ぐり領域の中心を離れ、前当て領域および／または背当て領域の方向に移動される。
【００３６】
上記で言及された折り返しエレメントは、長手方向に配置されるに当たり、好ましくはその相互の間隔が１つの最大値を通過するようにする。面積当たり重量が（横方向に）増加する第１の領域において、かつ上記で言及されたその部分領域に、この最大値が完全に入っていれば有利である。
【００３７】
そのほかの有利な方法として、折り返し土台線相互の最大値間隔部が単数または複数あり、衛生用品の前当ておよび／または背当てに配置されるものとする。
【００３８】
言及された吸収体コンポーネントは、有利な方法として、繊維と、微粒子上の供給修正材料の混合物を含むものとする。
【００３９】
本発明による衛生用品のそのほかの事項、利点、詳細を、添付の特許請求の範囲、図面、本発明の好ましい実施形態に関する下記の説明に記載した。
【発明を実施するための最良の形態】
【００４０】
図１に示すダイで、ほぼ矩形の面1は、ベースマットの延長部分であって、このベースマットは、毛羽立てされたパルプ繊維であって、その面積当たり重量が均一である。ダイ領域２乃至７は、吸収体コンポーネント１２の本発明による形状を得るための三次元スペース、１つのトポグラフィーである。本発明の吸収体コンポーネント１２は、毛羽立てされたパルプ繊維と高吸収性微粒子状材料の均質な混合物を、ダイの領域２〜７に装入することによって得られる。ダイのＺ方向の深さに応じて、吸収体コンポーネント１２は、吸収体コンポーネント１２を形成する吸収性材料の面積当たり重量が大きくなったり、小さくなったりする。
【００４１】
たとえば領域２および３を長手方向中央線１４（長手方向Ｙに延びる）から出発して、領域５および６への移行部まで（横方向１６に）観察するならば、次のことが認められる。すなわち吸収体コンポーネント１２の吸収性材料の面積当たり重量は、横方向に吸収体コンポーネント１２の側縁に向かって、左右とも増加する。同様にして領域４から出発して、横方向１６に領域５、６への移行部で、同じことが認められる。
【００４２】
したがって吸収体コンポーネント１２は、この吸収体コンポーネントの吸収性材料の面積当たり重量が、横方向１６の側縁に向かって増加する第１の領域１８、２０を、２つ備える。
【００４３】
さらには長手方向１４において、背当て領域２２と前当て領域２４から出発して、股ぐり領域２６に向かって、吸収体コンポーネント１２の吸収性材料の面積当たり重量が、増加することが認められる。吸収体コンポーネント１２の面積当たり重量のこの増加は、ベースマット１０を無視すれば、背当て領域２２における領域２の股ぐり領域２６側のエッジ２８と、前当て領域２４における領域２のエッジ３０から始まる。したがってエッジ２８と３０の間の領域を、吸収体コンポーネント１２の吸収性材料の面積当たり重量が、長手方向１４に股ぐり領域２６に向かって増加する領域、すなわち第２の領域３２と呼ぶ。
【００４４】
図２は吸収体の上面図である。この吸収体は、図１に記載のダイを用いて、そこで説明された方法によって製造されたものであって、次のものをカバーする。それは、すでに言及されたベースマット１０、吸収体コンポーネント１２、それに人体側の砂時計形の配分層４０、それに吸収体コンポーネント１２の三次元構造のうちで領域３〜７に対応する部分である。したがって図示の吸収体は、面積当たり重量が均一なベースマット１０と、この図では三次元トポロジーとして図示されている吸収体コンポーネント１２と、これも面積当たり重量が均一な配分層４０とを含む。単なる例として図示されたこのケースで、ベースマット１０は毛羽立てされた天然のパルプ繊維から、そして吸収体コンポーネント１２は、天然の毛羽立てされたパルプ繊維と高吸収性の微粒子状材料（略称ＳＡＰ）の混合物から、そしてまた配分層４０は内部架橋されたパルプ繊維からなる。
【００４５】
図２では、吸収体が２１個の長手切断部分４２に、すなわち長手方向１４に相互に隣接する長さ約２０ｍｍの切断部分に、区分されていることが認められる。
【００４６】
吸収体コンポーネント１２を形成するに当たっては、貯留容量が、長手方向１４に吸収体コンポーネント１２の長さの少なくとも２０％にわたって、ほぼ一定であるようにする。その際長手切断部分４２（セクター０１〜２１）を利用し、冒頭に説明したように、この切断部分の貯留容量を求める。
【００４７】
下記の表には、図１に記載のトポロジーの各領域１〜７における、１つの好ましい吸収体構成例の面積当たり重量を記載した。天然の毛羽立てされたパルプ繊維（“ｆｌｕｆｆ”）、ないし配分層４０の内部架橋されたパルプ繊維（“ｃｆ”）、および高吸収性微粒子材料（“ＳＡＰ”）の面積当たり重量である。単位はいずれもｇ／ｍ2である。
【００４８】
【表１】
2007531572.tif 000003
【００４９】
出願者は、その使用した高吸収性材料（ＳＡＰ）、内部架橋されたパルプ繊維（“ｃｆ”）、および天然の毛羽立てされたパルプ繊維（“ｆｌｕｆｆ”）それぞれの液体保持値を求めた。冒頭に挙げた方法によれば、毛羽立てされた天然パルプ繊維と、内部架橋されたパルプ繊維は、保持値１ｇ／ｇであり、高吸収性材料の場合、保持値は３０ｇ／ｇが得られた。各領域１〜７の面積割合ないし体積割合を考慮しながら、これらの保持値から、長手方向切断各部分４２（セクター１〜２１）で利用できる貯留容量を、計算で求めることができる。その結果を図３および４に示した。
【００５０】
図３および４は、貯留容量（貯留可能な液体、単位はｇ）を、表およびグラフで示す。図４およびそれに付随する表でわずかに高くなっている数値は、ベースマット１０および配分層４０を、あわせて考慮しているものである。
【００５１】
長手切断部分４２にそって、すなわち長手方向１４において、吸収体コンポーネントの一部分４４の貯留容量がほぼ一定であることが認められる。この一部分４４は、長手切断部分４２のセクター３〜１４を含む。
【００５２】
最後に図５は、本発明の衛生用品５０をオムツの形にしたものの上面図（模式図）を、図６は、その断面図を示す。衛生用品５０は、人体側に配置された液体不透過性のバックシート５２と、液体透過性のトップシート５４、それらの間に配置された吸収体５６とを備える。この吸収体は、先に説明したベースマット１０、吸収体コンポーネント１２、および配分層４０とを含む。図５の模式図では、図２の吸収体コンポーネント１２のトポロジーも同様に記載した。そのほか左右の液体バリヤ、すなわち、遠位側末端に弾性エレメント６０を持ついわゆる立ち上げ式折り返しエレメント５８を示した。
【００５３】
それ自体知られた折り返しエレメント５８は、折り返し土台線６２にそって支持材と、すなわち通常はトップシート５４の不織布コンポーネントと、および／またはそのほかの被覆層コンポーネント６４と結合されている。図５では折り返しエレメント５８の遠位側末端６６を示す。図５からは、折り返し土台線６２相互の間隔６８が、長手方向１４にそって変化することが認められる。この変化は衛生用品５０の横方向１６において生じる。
【００５４】
折り返し土台線の間隔は、衛生用品の長手方向延長にそって最大値を２つ通過すること、そしてこれらの最大値は、吸収性コンポーネントの面積当たり重量が横方向１６に増加する第１の領域１８、２０のそれぞれとオーバラップすることが認められる。このようにして、折り返し土台線６２相互の最大間隔６８の領域では、吸収体側縁領域における高い吸収容量が得られるようになる。面積当たり重量が横方向に増加するこの第１の領域１８、２０は、吸収体５６の側縁領域でほぼ線条形に延びる。この第１の領域は、上面図において、ほぼ文字“Ｈ”または“Ｘ”の脚の形を形成する。その際図示のケースでは、上記領域と隣接する股ぐり領域において、または少なくとも股ぐり領域の中心で、衛星用品の横方向における吸収性材料の面積当たり重量の増加は行わない。
【図面の簡単な説明】
【００５５】
【図１】本発明の吸収体トポグラフィーを得る雌型の透視図。吸収体材料をこの雌型に、ほぼ均一な密度で装入することにより、そのトポグラフィーが得られる。
【図２】図１の雌型を用いて形成された吸収体の上面図。
【図３】長手方向を切断した各部分において利用できる貯留容量の図示。
【図４】長手方向を切断した各部分において利用できる貯留容量の図示。
【図５】本発明による衛生用品の上面図（模式図）。
【図６】図５に記載する衛生用品の断面図。
【図１】
2007531572.tif 000004
【図２】
2007531572.tif 000005
【図３】
2007531572.tif 000006
【図４】
2007531572.tif 000007
【図５】
2007531572.tif 000008
【図６】
2007531572.tif 000009
【国際調査報告】
2007531572.tif 000010
2007531572.tif 000011
2007531572.tif 000012
2007531572.tif 000013
2007531572.tif 000014
2007531572.tif 000015
2007531572.tif 000016
2007531572.tif 000017